【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
インクタンクを装着する包装容器において、
インクタンクが装着されることによって当該インクタンクの一の開口部であるインク供給口を密閉する密閉部材と、
インクタンクの装着によって前記密閉部材によりインク供給口が密閉された後に装着されて当該インクタンクの取り外しを防止する部材であって、当該装着によって当該インクタンクにおける、大気連通口を含む他の開口部を密閉する装着部材と、
前記包装容器の一部に形成され、インクタンクの一部に形成された係合部と係合する、突起または凹部からなる複数の係合部を有することにより前記装着されたインクタンクを固定する固定手段と、
を具えたことを特徴とする包装容器。
【請求項２】
前記装着部材は、前記大気連通口の周囲と当該包装容器の一部とに装着されることによって当該包装容器に装着される一体のフィルム状部材であることを特徴とする請求項１に記載の包装容器。
【請求項３】
前記装着部材は、前記大気連通口の周囲と当該包装容器の一部とにそれぞれ接着されることによって当該包装容器に装着されるとともに、相互に接着される別体のフィルム状部材であることを特徴とする請求項１に記載の包装容器。
【請求項４】
前記フィルム状の装着部材は、熱溶着により、前記大気連通口の周囲と前記包装容器の一部とに接着されることを特徴とする請求項３に記載の包装容器。
【請求項５】
インクを貯留するインクタンクにおいて、
インクタンクを装着する包装容器であって、
インクタンクが装着されることによって当該インクタンクの一の開口部であるインク供給口を密閉する密閉部材と、
インクタンクの装着によって前記密閉部材によりインク供給口が密閉された後に装着されて当該インクタンクの取り外しを防止する部材であって、当該装着によって当該インクタンクにおける、大気連通口を含む他の開口部を密閉する装着部材と、
前記包装容器の一部に形成され、インクタンクの一部に形成された係合部と係合する、突起または凹部からなる複数の係合部を有することにより前記装着されたインクタンクを固定する固定手段と、
を具えた包装容器を用いることを特徴とするインクタンク。
【手続補正２】
【補正対象書類名】明細書
【補正対象項目名】０００２
【補正方法】変更
【補正の内容】
【０００２】
【従来の技術】
一般に、インクジェットヘッドまたは中間の接続部材と連結されて使用される交換型のインクタンクにおいては、インクジェットヘッドにインクを供給するためのインク供給口と、インク消費に見合った容積の空気をインクタンク内に導入するための大気連通口との２つの開口部を備えている（特許文献１）。
【手続補正３】
【補正対象書類名】明細書
【補正対象項目名】０００５
【補正方法】変更
【補正の内容】
【０００５】
このような要求を満たすべく、例えば、特許文献２には、インクを保持し、このインクを外部へ供給するための開口部を備えたインクカートリッジを包装する包装部材の構成において、インクカートリッジの開口部を封止するシール部材の少なくとも一端が上記包装部材の内表面に固定されていること、および、インクカートリッジの非シール部分に対応する上記包装部材の一部を離脱してインクカートリッジの一部を露出させ、インクカートリッジを包装部材から取り出す動作でシール部材を引きはがすことが開示されている。
【手続補正４】
【補正対象書類名】明細書
【補正対象項目名】０００６
【補正方法】変更
【補正の内容】
【０００６】
また、インク供給口と大気連通口の２つの開口部を備えているインクカートリッジにおいて、インクカートリッジ内の内圧上昇に起因する開封時のインク漏出を防止するために、その開口部をシールするシール部材について、大気連通口の方を先に開封して高くなった内圧を低下させてから上記開口部のシールが除かれるように、シール部材をインクカートリッジから剥離するときの剥離力を緩和する形状をシール部材のインク供給口を射止する部分の近傍に設けることが提案されている（特許文献３）。
【特許文献１】特開２０００−１９８２１８号公報
【特許文献２】特開平７−７６３６７号公報
【特許文献３】特開２０００−２５５０８２号公報
【手続補正５】
【補正対象書類名】明細書
【補正対象項目名】００１５
【補正方法】変更
【補正の内容】
【００１５】
【課題を解決するための手段】
そのために、本発明の第１の実施形態では、インクタンクを装着する包装容器において、インクタンクが装着されることによって当該インクタンクの一の開口部であるインク供給口を密閉する密閉部材と、インクタンクの装着によって前記密閉部材によりインク供給口が密閉された後に装着されて当該インクタンクの取り外しを防止する部材であって、当該装着によって当該インクタンクにおける、大気連通口を含む他の開口部を密閉する装着部材と、前記包装容器の一部に形成され、インクタンクの一部に形成された係合部と係合する、突起または凹部からなる複数の係合部を有することにより前記装着されたインクタンクを固定する固定手段と、を具えたことを特徴とする。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
第４の形態では、インクを貯留するインクタンクにおいて、インクタンクを装着する包装容器であって、インクタンクが装着されることによって当該インクタンクの一の開口部であるインク供給口を密閉する密閉部材と、インクタンクの装着によって前記密閉部材によりインク供給口が密閉された後に装着されて当該インクタンクの取り外しを防止する部材であって、当該装着によって当該インクタンクにおける、大気連通口を含む他の開口部を密閉する装着部材と、前記包装容器の一部に形成され、インクタンクの一部に形成された係合部と係合する、突起または凹部からなる複数の係合部を有することにより前記装着されたインクタンクを固定する固定手段と、を具えた包装容器を用いることを特徴とする。
【手続補正８】
【補正対象書類名】明細書
【補正対象項目名】００２０
【補正方法】変更
【補正の内容】
【００２０】
以上の構成における第１および第４の形態によれば、インクタンクを包装容器から取り外すとき、装着部材の装着を解除する必要がある。この際、インクタンク等のインクタンクにおけるインク供給口以外の他の開口部の密閉がともに解除されるので、インク供給口が開放される前には必ず大気連通口が開放されることになる。また、突起または凹部からなる複数の係合部を有することにより装着されたインクタンクを固定するので、装着のための構造の自由度を増すことができる。
【手続補正９】
【補正対象書類名】明細書
【補正対象項目名】００２３
【補正方法】削除
【補正の内容】
【手続補正１０】
【補正対象書類名】明細書
【補正対象項目名】００４５
【補正方法】変更
【補正の内容】
【００４５】
【発明の効果】
以上の説明から明らかなように、本発明の第１および第４の形態によれば、インクタンクを包装容器から取り外すとき、装着部材の装着を解除する必要がある。この際、インクタンク等のインクタンクにおけるインク供給口以外の他の開口部の密閉がともに解除されるので、インク供給口が開放される前には必ず大気連通口が開放されることになる。また、突起または凹部からなる複数の係合部を有することにより装着されたインクタンクを固定するので、装着のための構造の自由度を増すことができる。
【手続補正１１】
【補正対象書類名】明細書
【補正対象項目名】００４９
【補正方法】削除
【補正の内容】